(57)【要約】【課題】ユーザーに不快感を与えにくい構成を有する歯間清掃用具、およびこの清掃用具を備える携帯型口腔衛生装置を提供する。【解決手段】歯間ブラシアタッチメント１００は、中芯部分１１０、清掃部分１２０、および基礎部分１５０を有する。中芯部分１１０は、金属材料により形成される。中芯部分１１０は、中芯引掛部分１１４を有する。清掃部分１２０は、軟質樹脂材料により形成される。清掃部分１２０は、清掃本体部分１３０、清掃機能部分１４０、および清掃引掛部分１３２を有する。清掃本体部分１３０は、中芯部分１１０を被覆する。清掃機能部分１４０は、清掃本体部分１３０の外面に形成されて歯間の清掃機能を有する。基礎部分１５０は、硬質樹脂材料により形成される。基礎部分１５０は、基礎引掛部分１６２を有する。中芯引掛部分１１４は、清掃引掛部分１３２および基礎引掛部分１６２に掛かり合う形状を有する。【選択図】図８
2013248015.tif 000002
【特許請求の範囲】
【請求項１】
中芯部分および清掃部分を有する歯間清掃用具であって、
前記中芯部分は、金属材料により形成され、
前記清掃部分は、軟質樹脂材料により形成される部分であって、前記中芯部分を被覆する清掃本体部分、および前記清掃本体部分の外面に形成されて歯間の清掃機能を有する清掃機能部分を有する
歯間清掃用具。
【請求項２】
前記中芯部分は、中芯引掛部分を有し、
前記清掃部分は、清掃引掛部分を有し、
前記中芯引掛部分および前記清掃引掛部分は、互いに掛かり合う形状を有する
請求項１に記載の歯間清掃用具。
【請求項３】
前記中芯引掛部分は、中芯充填空間を有し、
前記清掃引掛部分は、前記中芯充填空間に充填される
請求項２に記載の歯間清掃用具。
【請求項４】
前記歯間清掃用具は、基礎部分を有し、
前記中芯部分は、中芯先端部分、中芯中間部分、および中芯基端部分を有し、
前記中芯先端部分は、前記中芯部分の長手方向先端に向けて湾曲するＲ形状を有し、
前記清掃本体部分は、前記中芯先端部分を被覆する
請求項１〜３のいずれか一項に記載の歯間清掃用具。
【請求項５】
前記中芯部分は、ワイヤーにより形成され、
前記ワイヤーは、捻り合わせられた部分を有する
請求項１〜４のいずれか一項に記載の歯間清掃用具。
【請求項６】
前記中芯引掛部分は、前記ワイヤーが捻り合わせられた部分により形成され、
前記中芯充填空間は、前記ワイヤーが捻り合わせられた部分において前記ワイヤーの一部分に囲まれて形成される
請求項３を引用する請求項５に記載の歯間清掃用具。
【請求項７】
前記歯間清掃用具は、基礎部分を有し、
前記中芯部分は、中芯先端部分、中芯中間部分、および中芯基端部分を有し、
前記清掃本体部分は、前記中芯先端部分を被覆し、
前記基礎部分は、樹脂材料により形成され、前記中芯基端部分と結合する
請求項１〜６のいずれか一項に記載の歯間清掃用具。
【請求項８】
前記中芯部分は、中芯引掛部分を有し、
前記基礎部分は、基礎引掛部分を有し、
前記中芯引掛部分および前記基礎引掛部分は、互いに掛かり合う形状を有する
請求項７に記載の歯間清掃用具。
【請求項９】
携帯型口腔衛生装置であって、
歯ブラシ本体と、
請求項１〜８のいずれか一項に記載の歯間清掃用具と
を備える携帯型口腔衛生装置。
【請求項１０】
前記携帯型口腔衛生装置は、請求項７または８に記載の歯間清掃用具を有し、
前記基礎部分は、前記歯ブラシ本体に対する取り付けおよび取り外しが可能な構成を有する
請求項９に記載の携帯型口腔衛生装置。
【請求項１１】
前記携帯型口腔衛生装置は、前記歯ブラシ本体、歯ブラシキャップ、第１機能部品としての歯ブラシアタッチメント、歯間清掃用具キャップ、および第２機能部品としての前記歯間清掃用具を有し、
前記歯ブラシキャップは、前記歯ブラシ本体に対する取り付けおよび取り外しが可能な構成を有し、
前記歯ブラシアタッチメントは、前記歯ブラシキャップの内部空間に配置される部品であって、前記歯ブラシ本体に対する取り付けおよび取り外しが可能な構成を有し、
前記歯間清掃用具キャップは、前記歯ブラシアタッチメントの内部空間に配置される部品であって、前記歯ブラシ本体または前記歯ブラシアタッチメントに対する取り付けおよび取り外しが可能な構成を有し、
前記歯間清掃用具は、前記歯間清掃用具キャップの内部空間に配置される部品であって、前記歯ブラシ本体に対する取り付けおよび取り外しが可能な構成を有する
請求項９または１０に記載の口腔衛生装置。 
【発明の詳細な説明】
【技術分野】
【０００１】
本発明は、歯間清掃用具およびこの清掃用具を備える携帯型口腔衛生装置に関する。
【背景技術】
【０００２】
図２２は、特許文献１の歯間ブラシを示す。
特許文献１の歯間ブラシ９００は、把持部９１０およびワイヤーブラシ部９２０を有する。ワイヤーブラシ部９２０は、ワイヤー部９３０およびブラシ部９４０を有する。ワイヤー部９３０は、先端部９３１を有する。ブラシ部９４０は、先端側フィラメント群９４１および基端側フィラメント群９４２を有する。先端側フィラメント群９４１は、基端側フィラメント群９４２よりも植毛密度が高い。
【０００３】
歯間ブラシ９００は、先端側フィラメント群９４１の植毛の密度を基端側フィラメント群９４２の植毛の密度よりも高くすることにより、ワイヤー部９３０がユーザーに与える金属不快感を軽減する。
【先行技術文献】
【特許文献】
【０００４】
【特許文献１】特開２００９−２４０４９３号公報
【発明の概要】
【発明が解決しようとする課題】
【０００５】
歯間ブラシ９００においては、ワイヤー部９３０の先端部９３１がユーザーの口腔内に直接的に接触するおそれがある。このため、ユーザーが歯間ブラシ９００の使用にともない不快感を覚えるおそれがある。
【０００６】
本発明は、以上の背景をもとに創作されたものであり、ユーザーに不快感を与えにくい構成を有する歯間清掃用具、およびこの清掃用具を備える携帯型口腔衛生装置を提供することを目的とする。
【課題を解決するための手段】
【０００７】
（１）第１の手段は、「中芯部分および清掃部分を有する歯間清掃用具であって、前記中芯部分は、金属材料により形成され、前記清掃部分は、軟質樹脂材料により形成される部分であって、前記中芯部分を被覆する清掃本体部分、および前記清掃本体部分の外面に形成されて歯間の清掃機能を有する清掃機能部分を有する歯間清掃用具」を含む。
【０００８】
（２）第２の手段は、「前記中芯部分は、中芯引掛部分を有し、前記清掃部分は、清掃引掛部分を有し、前記中芯引掛部分および前記清掃引掛部分は、互いに掛かり合う形状を有する歯間清掃用具」を含む。
【０００９】
（３）第３の手段は、「前記中芯引掛部分は、中芯充填空間を有し、前記清掃引掛部分は、前記中芯充填空間に充填される歯間清掃用具」を含む。
（４）第４の手段は、「前記歯間清掃用具は、基礎部分を有し、前記中芯部分は、中芯先端部分、中芯中間部分、および中芯基端部分を有し、前記中芯先端部分は、前記中芯部分の長手方向先端に向けて湾曲するＲ形状を有し、前記清掃本体部分は、前記中芯先端部分を被覆する歯間清掃用具」を含む。
【００１０】
（５）第５の手段は、「前記中芯部分は、ワイヤーにより形成され、前記ワイヤーは、捻り合わせられた部分を有する歯間清掃用具」を含む。
（６）第６の手段は、「前記中芯引掛部分は、前記ワイヤーが捻り合わせられた部分により形成され、前記中芯充填空間は、前記ワイヤーが捻り合わせられた部分において前記ワイヤーの一部分に囲まれて形成される歯間清掃用具」を含む。
【００１１】
（７）第７の手段は、「前記歯間清掃用具は、基礎部分を有し、前記中芯部分は、中芯先端部分、中芯中間部分、および中芯基端部分を有し、前記清掃本体部分は、前記中芯先端部分を被覆し、前記基礎部分は、樹脂材料により形成され、前記中芯基端部分と結合する歯間清掃用具」を含む。
【００１２】
（８）第８の手段は、「前記中芯部分は、中芯引掛部分を有し、前記基礎部分は、基礎引掛部分を有し、前記中芯引掛部分および前記基礎引掛部分は、互いに掛かり合う形状を有する歯間清掃用具」を含む。
【００１３】
（９）第９の手段は、「携帯型口腔衛生装置であって、歯ブラシ本体と、歯間清掃用具とを備える携帯型口腔衛生装置」を含む。
（１０）第１０の手段は、「前記携帯型口腔衛生装置は、歯間清掃用具を有し、前記基礎部分は、前記歯ブラシ本体に対する取り付けおよび取り外しが可能な構成を有する携帯型口腔衛生装置」を含む。
【００１４】
（１１）第１１の手段は、「前記携帯型口腔衛生装置は、前記歯ブラシ本体、歯ブラシキャップ、歯ブラシアタッチメント、歯間清掃用具キャップ、および前記歯間清掃用具を有し、前記歯ブラシキャップは、前記歯ブラシ本体に対する取り付けおよび取り外しが可能な構成を有し、前記歯ブラシアタッチメントは、前記歯ブラシキャップの内部空間に配置される部品であって、前記歯ブラシ本体に対する取り付けおよび取り外しが可能な構成を有し、前記歯間清掃用具キャップは、前記歯ブラシアタッチメントの内部空間に配置される部品であって、前記歯ブラシ本体または前記歯ブラシアタッチメントに対する取り付けおよび取り外しが可能な構成を有し、前記歯間清掃用具は、前記歯間清掃用具キャップの内部空間に配置される部品であって、前記歯ブラシ本体に対する取り付けおよび取り外しが可能な構成を有する口腔衛生装置」を含む。
【発明の効果】
【００１５】
本発明は、ユーザーに不快感を与えにくい構成を有する歯間清掃用具、およびこの清掃用具を備える携帯型口腔衛生装置を提供する。
【図面の簡単な説明】
【００１６】
【図１】第１実施形態の携帯型口腔衛生装置に関する図であり、（ａ）は同装置の斜視構造を示す斜視図、（ｂ）は（ａ）の斜視構造において歯ブラシキャップがＸＺ平面において破断された状態の斜視構造を示す斜視図。
【図２】第１実施形態の携帯型口腔衛生装置に関する図であり、（ａ）は図１（ｂ）の斜視構造において歯ブラシキャップが分離された状態の斜視構造を示す斜視図、（ｂ）は（ａ）の斜視構造において歯ブラシアタッチメントがＸＺ平面において破断された状態の斜視構造を示す斜視図。
【図３】第１実施形態の携帯型口腔衛生装置に関する図であり、（ａ）は図２（ｂ）の斜視構造において把持ケースがＸＺ平面において破断された状態の斜視構造を示す斜視図、（ｂ）は（ａ）の斜視構造において装飾リングおよびアウターケースがＸＺ平面において破断された状態の斜視構造を示す斜視図。
【図４】第１実施形態の携帯型口腔衛生装置に関する図であり、（ａ）は図３（ｂ）の斜視構造においてインナーケースがＸＺ平面において破断された状態の斜視構造を示す斜視図、（ｂ）は（ａ）の斜視構造において乾電池が省略された状態の斜視構造を示す斜視図。
【図５】第１実施形態の携帯型口腔衛生装置に関する図であり、（ａ）は同装置の左側面視におけるＸＺ平面の断面構造を示す断面図、（ｂ）は同装置の正面視におけるＹＺ平面の断面構造を示す断面図。
【図６】第１実施形態の歯間ブラシアタッチメントに関する図であり、（ａ）は正面構造を示す正面図、（ｂ）は左側面構造を示す側面図。
【図７】第１実施形態の歯間ブラシアタッチメントに関する図であり、（ａ）は中芯部分の正面構造を示す正面図、（ｂ）は（ａ）の正面構造におけるＺ７Ａ部分の拡大構造を示す拡大図、（ｃ）は（ａ）の正面構造におけるＺ７Ｂ部分の拡大構造を示す拡大図。
【図８】第１実施形態の歯間ブラシアタッチメントに関する図であり、（ａ）は図６のＺ６Ａ−Ｚ６Ａ線における断面構造を示す断面図、（ｂ）は（ａ）の断面構造におけるＺ８Ａ部分の拡大構造を示す拡大図。
【図９】第１実施形態の歯間ブラシアタッチメントおよび先端結合部分に関する図であり、（ａ）は左側面構造を示す側面図、（ｂ）は背面構造を示す背面図、（ｃ）は（ｂ）のＺ９Ｂ−Ｚ９Ｂ線における部分断面構造を示す部分断面図、（ｄ）は（ａ）のＺ９Ａ−Ｚ９Ａ線における部分断面構造を示す部分断面図。
【図１０】第１実施形態の歯間ブラシアタッチメントおよび先端結合部分に関する図であり、（ａ）は同アタッチメントの一部分が先端結合部分に挿入された状態の部分断面構造を示す部分断面図、（ｂ）は（ａ）の部分断面構造において同アタッチメントが下方向に移動した状態の部分断面構造を示す部分断面図、（ｃ）は（ｂ）の部分断面構造において同アタッチメントが下方向に移動した状態の部分断面構造を示す部分断面図、（ｄ）は（ｃ）の部分断面構造における一部分の拡大構造を示す拡大図。
【図１１】第２実施形態の歯間ブラシアタッチメントに関する図であり、（ａ）は正面構造を示す正面図、（ｂ）は左側面構造を示す側面図。
【図１２】第２実施形態の歯間ブラシアタッチメントに関する図であり、（ａ）は図１１のＺ１１Ａ−Ｚ１１Ａ線における断面構造を示す断面図、（ｂ）は（ａ）の断面構造におけるＺ１２Ａ部分の拡大構造を示す拡大図。
【図１３】第３実施形態の歯間ブラシアタッチメントに関する図であり、（ａ）は正面構造を示す正面図、（ｂ）は左側面構造を示す側面図。
【図１４】第３実施形態の歯間ブラシアタッチメントに関する図であり、（ａ）は図１３のＺ１３Ａ−Ｚ１３Ａ線における断面構造を示す断面図、（ｂ）は（ａ）の断面構造におけるＺ１４Ａ部分の拡大構造を示す拡大図。
【図１５】第４実施形態の歯間ブラシアタッチメントに関する図であり、（ａ）は正面構造を示す正面図、（ｂ）は左側面構造を示す側面図。
【図１６】第４実施形態の歯間ブラシアタッチメントに関する図であり、（ａ）は図１５のＺ１５Ａ−Ｚ１５Ａ線における断面構造を示す断面図、（ｂ）は（ａ）の断面構造におけるＺ１６Ａ部分の拡大構造を示す拡大図。
【図１７】第５実施形態の携帯型口腔衛生装置に関する図であり、（ａ）は左側面構造を示す側面図、（ｂ）は（ａ）のＺ１７Ｂ−Ｚ１７Ｂ線における拡大断面構造を示す断面図、（ｃ）は（ａ）のＺ１７Ａ−Ｚ１７Ａ線における拡大断面構造を示す断面図。
【図１８】第５実施形態の歯間ブラシアタッチメントに関する図であり、（ａ）は正面構造を示す正面図、（ｂ）は左側面構造を示す側面図。
【図１９】第５実施形態の歯間ブラシアタッチメントに関する図であり、（ａ）は図１８のＺ１８Ａ−Ｚ１８Ａ線における断面構造を示す断面図、（ｂ）は（ａ）の断面構造におけるＺ１９Ａ部分の拡大構造を示す拡大図。
【図２０】第６実施形態の携帯型口腔衛生装置に関する図であり、（ａ）は歯ブラシアタッチメントがＸＺ平面において破断された状態の電動歯ブラシの斜視構造を示す斜視図、（ｂ）は（ａ）の斜視構造において歯ブラシアタッチメントが分離され、歯間ブラシキャップがＸＺ平面において破断された状態の斜視構造を示す斜視図。
【図２１】第６実施形態の電動歯ブラシに関する図であり、（ａ）は歯間ブラシアタッチメントおよびその周辺部分の左側面視におけるＸＺ平面の断面構造を示す断面図、（ｂ）は（ａ）の断面構造において歯間ブラシアタッチメントがＸＺ平面において破断された状態の断面構造を示す断面図。
【図２２】背景技術の携帯型口腔衛生装置の側面構造を示す側面図。
【発明を実施するための形態】
【００１７】
（第１実施形態）
携帯型口腔衛生装置１に関する用語について以下のとおり定義する。
（Ａ）Ｚ方向は、装置１の長手方向を示す。
（Ｂ）Ｙ方向は、装置１の正面視においてＺ方向と直交する方向を示す。
（Ｃ）Ｘ方向は、装置１の側面視においてＺ方向と直交する方向を示す。
（Ｄ）Ｘ軸は、Ｘ方向を規定する座標軸を示す。
（Ｅ）Ｙ軸は、Ｙ方向を規定する座標軸を示す。
（Ｆ）Ｚ軸は、Ｚ方向を規定する座標軸を示す。
（Ｇ）ＸＹ平面は、Ｘ軸およびＹ軸により規定される平面を示す。
（Ｈ）ＸＺ平面は、Ｘ軸およびＺ軸により規定される平面を示す。
（Ｉ）ＹＺ平面は、Ｙ軸およびＺ軸により規定される平面を示す。
（Ｊ）前方向ＸＡは、Ｘ方向において背面側から正面側に向かう方向を示す。
（Ｋ）後方向ＸＢは、Ｘ方向において正面側から背面側に向かう方向を示す。
（Ｌ）右方向ＹＡは、正面視のＹ方向において左側から右側に向かう方向を示す。
（Ｍ）左方向ＹＢは、正面視のＹ方向において右側から左側に向かう方向を示す。
（Ｎ）上方向ＺＡは、Ｚ方向において装置１の底部から先端に向かう方向を示す。
（Ｏ）下方向ＺＢは、Ｚ方向において装置１の先端から底部に向かう方向を示す。
（Ｐ）動径方向は、ＸＹ平面上においてＺ軸を中心とした動径の方向を示す。
（Ｑ）外方向は、動径方向においてＺ軸から離れる方向を示す。
（Ｒ）内方向は、動径方向においてＺ軸に近づく方向を示す。
【００１８】
なお、動径方向は、軸と別の点との２点を結ぶ線分について、軸を固定するとともに別の点を動かすことにより形成される円を仮想円としたとき、この仮想円の半径である動径の方向に相当する。
【００１９】
携帯型口腔衛生装置１は、図１に示される構成を有する。携帯型口腔衛生装置１は、柱形状を有する。携帯型口腔衛生装置１は、電動歯ブラシ１０および歯ブラシキャップ９０を有する。携帯型口腔衛生装置１は、個別の部品として形成された電動歯ブラシ１０および歯ブラシキャップ９０が互いに結合された構成を有する。
【００２０】
歯ブラシキャップ９０は、図１に示される構成を有する。歯ブラシキャップ９０は、樹脂材料により形成される。歯ブラシキャップ９０は、中空の柱形状を有する。歯ブラシキャップ９０は、電動歯ブラシ１０に対する取り付けおよび取り外しが可能な構成を有する。歯ブラシキャップ９０は、外周壁部９１、上側壁部９２、および２個の通気孔９３を有する。歯ブラシキャップ９０は、外周壁部９１および上側壁部９２が同一の樹脂材料により一体的に形成された構成を有する。歯ブラシキャップ９０は、外周壁部９１により歯ブラシアタッチメント８０の周囲を覆う。歯ブラシキャップ９０においては、外周壁部９１の上方向ＺＡ側の開口部分に上側壁部９２が形成される。
【００２１】
電動歯ブラシ１０は、図２に示される構成を有する。電動歯ブラシ１０は、柱形状を有する。電動歯ブラシ１０は、歯ブラシ本体２０、歯ブラシアタッチメント８０、および歯間清掃用具としての歯間ブラシアタッチメント１００を有する。電動歯ブラシ１０は、互いに独立した部品として形成された歯ブラシ本体２０、歯ブラシアタッチメント８０、および歯間ブラシアタッチメント１００が互いに結合された構成を有する。電動歯ブラシ１０は、歯ブラシアタッチメント８０による歯の清掃時において歯ブラシアタッチメント８０を振動させる。電動歯ブラシ１０は、歯間ブラシアタッチメント１００による歯の清掃時において歯間ブラシアタッチメント１００を振動させる。
【００２２】
歯ブラシアタッチメント８０は、図２に示される構成を有する。歯ブラシアタッチメント８０は、樹脂材料により形成される。歯ブラシアタッチメント８０は、中空の柱形状を有する。歯ブラシアタッチメント８０は、歯ブラシ本体２０に対する取り付けおよび取り外しが可能な構成を有する。歯ブラシアタッチメント８０は、複数のブリッスル束８１、ブラシヘッド８２、およびブラシステー８３を有する。歯ブラシアタッチメント８０は、ブラシヘッド８２およびブラシステー８３が同一の樹脂材料により一体的に形成された構成を有する。
【００２３】
歯ブラシ本体２０は、図３に示される構成を有する。歯ブラシ本体２０は、柱形状を有する。歯ブラシ本体２０は、本体ケース２１、装飾リング２４、把持ケース５０、振動発生装置６０、および電気部品群７０を有する。歯ブラシ本体２０は、互いに独立した部品として形成された本体ケース２１、装飾リング２４、把持ケース５０、振動発生装置６０、および電気部品群７０が互いに結合された構成を有する。
【００２４】
装飾リング２４は、図３に示される構成を有する。装飾リング２４は、樹脂材料により形成される。装飾リング２４は、円環形状を有する。装飾リング２４は、本体ケース２１の外面に固定される。装飾リング２４は、複数の装飾部分２５、および装飾リング２４の外面としての装飾面２６を有する。装飾リング２４においては、四角錐形状の装飾部分２５が形成される。装飾リング２４においては、装飾リング２４の周方向において装飾部分２５が等間隔に形成される。
【００２５】
装飾面２６は、携帯型口腔衛生装置１が配置される面に対して２点以上で接触する形状を有する。装飾面２６は、蒸着用塗料により塗装されている。装飾面２６においては、蒸着された塗料が金属光沢を有する皮膜を形成する。
【００２６】
本体ケース２１は、図３に示される構成を有する。本体ケース２１は、樹脂材料により形成される。本体ケース２１は、円筒形状に類似する形状を有する。本体ケース２１は、上方向ＺＡ側の一部分が歯ブラシアタッチメント８０内の空間に配置される。本体ケース２１は、下方向ＺＢ側の一部分が把持ケース５０内の空間に配置される。本体ケース２１は、アウターケース３０、インナーケース４０、上部シール部品２２、および下部シール部品２３を有する。本体ケース２１は、互いに独立した部品として形成されたアウターケース３０、インナーケース４０、上部シール部品２２、および下部シール部品２３が互いに結合された構成を有する。
【００２７】
アウターケース３０は、図５に示される構成を有する。アウターケース３０は、樹脂材料により形成される。アウターケース３０は、円筒形状に類似する形状を有する。アウターケース３０は、上方向ＺＡ側の一部分が歯ブラシアタッチメント８０内の空間に配置される。アウターケース３０は、下方向ＺＢ側の一部分が把持ケース５０内の空間に配置される。アウターケース３０は、把持ケース５０に固定される。
【００２８】
アウターケース３０は、上部結合部分３１、中間結合部分３２、下部結合部分３３、先端結合部分３４、および後方開口部分３５を有する。アウターケース３０は、上部結合部分３１、中間結合部分３２、下部結合部分３３、および先端結合部分３４が同一の樹脂材料により一体的に形成された構成を有する。アウターケース３０は、上部結合部分３１において歯ブラシアタッチメント８０と結合する。アウターケース３０は、下部結合部分３３において把持ケース５０と結合する。アウターケース３０は、先端結合部分３４において歯間ブラシアタッチメント１００と結合する。アウターケース３０は、先端結合部分３４の一部分を貫通する部分として後方開口部分３５を有する。アウターケース３０においては、中間結合部分３２により上部結合部分３１と下部結合部分３３とが互いに接続される。
【００２９】
アウターケース３０の樹脂材料は、ブラシステー８３の樹脂材料よりも硬い。アウターケース３０の樹脂材料およびブラシステー８３の樹脂材料の組み合わせは、例えば次の第１材料組または第２材料組を選択することができる。第１材料組は、アウターケース３０の樹脂材料としてガラス繊維入ＡＢＳ樹脂を有し、ブラシステー８３の樹脂材料としてポリアセタール樹脂を有する。第２材料組は、アウターケース３０の樹脂材料としてＡＢＳ樹脂を有し、ブラシステー８３の樹脂材料としてポリプロピレン樹脂を有する。
【００３０】
なお、アウターケース３０およびブラシステー８３の樹脂材料の組み合わせは、アウターケース３０がブラシステー８３に対して高い硬度を有する樹脂材料の組み合わせであれば、上記に例示した組み合わせに限らず他の組み合わせを選択することもできる。また、組み合わせが許容される条件は、アウターケース３０およびブラシステー８３のそれぞれの機能を維持するために必要な硬度を有する範囲内において、アウターケース３０がブラシステー８３に対して高い硬度を有する組み合わせと記述することができる。
【００３１】
インナーケース４０は、図５に示される構成を有する。インナーケース４０は、樹脂材料により形成される。インナーケース４０は、円筒形状に類似した形状を有する。インナーケース４０は、上方向ＺＡ側の一部分がアウターケース３０内の空間に配置される。インナーケース４０は、下方向ＺＢ側の一部分が把持ケース５０内の空間に配置される。インナーケース４０は、把持ケース５０に固定される。
【００３２】
インナーケース４０は、電池保持部分４１、基板保持部分４２、および装置保持部分４３を有する。インナーケース４０は、電池保持部分４１、基板保持部分４２、および装置保持部分４３が同一の樹脂材料により一体的に形成された構成を有する。インナーケース４０は、電池保持部分４１において乾電池２（図４参照）を保持する。インナーケース４０は、基板保持部分４２において回路基板７１を保持する。インナーケース４０は、装置保持部分４３において振動発生装置６０を保持する。
【００３３】
インナーケース４０の樹脂材料としては、アウターケース３０の樹脂材料と同じ種類の材料および異なる種類の材料の双方を用いることができる。アウターケース３０は、歯ブラシアタッチメント８０の結合および分離が所定回数にわたり繰り返し行われても必要な機能を維持するため、ブラシステー８３の樹脂材料よりも硬い樹脂材料により形成することが好ましい。一方、インナーケース４０は、ブラシステー８３の樹脂材料よりも軟らかい樹脂材料により形成しても、歯ブラシアタッチメント８０の結合および分離にともない耐久性が低下するおそれがない。このため、インナーケース４０の樹脂材料およびアウターケース３０の樹脂材料としては、互いに異なる種類の材料を用いることが許容される。なお、インナーケース４０の樹脂材料およびアウターケース３０の樹脂材料として、互いに同じ種類の材料を用いることもできる。
【００３４】
上部シール部品２２は、図５に示される構成を有する。上部シール部品２２は、合成ゴムにより形成される。上部シール部品２２は、円環形状かつリップ形状を有する。上部シール部品２２は、アウターケース３０の上部結合部分３１の外面に取り付けられる。上部シール部品２２は、アウターケース３０と歯ブラシアタッチメント８０との隙間をシールする。合成ゴムとしては、ニトリルゴム、シリコーンゴム、アクリルゴム、スチレンブタジエンゴム、フッ素ゴム、またはエチレンプロピレンゴムを用いることができる。なお、合成ゴムに代えてエラストマーを用いることもできる。
【００３５】
下部シール部品２３は、図５に示される構成を有する。下部シール部品２３は、合成ゴムにより構成される。下部シール部品２３は、円環形状かつリップ形状を有する。下部シール部品２３は、アウターケース３０と把持ケース５０との隙間をシールする。合成ゴムとしては、ニトリルゴム、シリコーンゴム、アクリルゴム、スチレンブタジエンゴム、フッ素ゴム、またはエチレンプロピレンゴムを用いることができる。なお、合成ゴムに代えてエラストマーを用いることもできる。
【００３６】
把持ケース５０は、図３に示される構成を有する。把持ケース５０は、樹脂材料により形成される。把持ケース５０は、中空の柱形状を有する。把持ケース５０は、本体ケース２１に対する回転が可能な状態において本体ケース２１と結合される。把持ケース５０は、外周壁部５１、下側壁部５２、および防水シート（図示略）を有する。把持ケース５０は、外周壁部５１によりアウターケース３０およびインナーケース４０の周囲を覆う。把持ケース５０においては、外周壁部５１の下方向ＺＢ側の開口部分が下側壁部５２により閉塞される。把持ケース５０においては、下側壁部５２の外面に防水シートが貼り付けられる。
【００３７】
振動発生装置６０は、図４に示される構成を有する。振動発生装置６０は、本体ケース２１内の空間に配置される。振動発生装置６０は、電気モーター６１、偏芯分銅６２、およびスペーサー６３を有する。振動発生装置６０は、互いに独立した部品として形成された電気モーター６１、偏芯分銅６２、およびスペーサー６３の集合体として構成される。振動発生装置６０は、電気モーター６１により偏芯分銅６２を回転させることにより、歯ブラシアタッチメント８０を振動させる。
【００３８】
電気部品群７０は、図５に示される構成を有する。電気部品群７０は、アウターケース３０およびインナーケース４０にまたがり配置される。電気部品群７０は、回路基板７１、陰極金具７２、陽極金具７３、通電金具７４、陰極リード線７５、陽極リード線７６、および電流ヒューズ（図示略）を有する。電気部品群７０は、互いに独立した部品として形成された回路基板７１、陰極金具７２、陽極金具７３、通電金具７４、陰極リード線７５、陽極リード線７６、および電流ヒューズの集合体として構成される。電気部品群７０は、電気モーター６１に対する乾電池２の電力の供給および停止を切り替える。
【００３９】
回路基板７１は、通電金具７４および陰極金具７２と電気モーター６１とを互いに接続する。回路基板７１においては、出力側の陰極端子が電気モーター６１の陰極端子と接続される。回路基板７１においては、出力側の陽極端子が電気モーター６１の陽極端子と接続される。
【００４０】
陰極金具７２は、電池保持部分４１において乾電池２の陰極と対応する箇所に配置される。陰極金具７２は、回路基板７１側の端部が回路基板７１の入力側の陰極端子に接続される。陰極金具７２は、回路基板７１側の端部が陰極リード線７５により回路基板７１の出力側の陰極端子に接続される。
【００４１】
陽極金具７３は、把持ケース５０に固定される。陽極金具７３は、本体ケース２１に対する把持ケース５０の回転により通電金具７４に対する位置が変化する。陽極金具７３は、本体ケース２１に対する把持ケース５０の回転位置がオン位置のとき、通電金具７４に接触する。陽極金具７３は、本体ケース２１に対する把持ケース５０の回転位置がオフ位置のとき、通電金具７４に接触しない。
【００４２】
通電金具７４は、電池保持部分４１に固定される。通電金具７４は、回路基板７１側の端部が回路基板７１の入力側の陽極端子に接続される。通電金具７４は、回路基板７１側の端部が陽極リード線７６により回路基板７１の出力側の陽極端子に接続される。
【００４３】
電気部品群７０は、電池保持部分４１に乾電池２が差し込まれているとき、かつ陽極金具７３および通電金具７４が互いに接触しているとき、閉回路を形成する。電気部品群７０の閉回路は、乾電池２の陽極、陽極金具７３、通電金具７４、陽極リード線７６、電気モーター６１、陰極リード線７５、回路基板７１、陰極金具７２、および乾電池２の陰極の順に接続された回路構成を有する。電気部品群７０が閉回路を形成するとき、乾電池２の電力により電気モーター６１が回転する。なお、閉回路を流れる電流が定格電流よりも大きいとき、電流ヒューズは、電気部品群７０の閉回路を遮断する。
【００４４】
図６〜図１０を参照して、歯間ブラシアタッチメント１００の詳細について説明する。
歯間ブラシアタッチメント１００は、図６に示される構成を有する。歯間ブラシアタッチメント１００は、柱形状に類似する形状を有する。歯間ブラシアタッチメント１００は、歯ブラシアタッチメント８０内の空間に配置される（図２参照）。歯間ブラシアタッチメント１００は、中芯部分１１０（図７参照）、清掃部分１２０、および基礎部分１５０を有する。歯間ブラシアタッチメント１００は、金属製の中芯部分１１０と、樹脂製の清掃部分１２０とが互いに掛かり合う構成を有する。歯間ブラシアタッチメント１００は、金属製の中芯部分１１０と、樹脂製の基礎部分１５０とが互いに掛かり合う構成を有する。歯間ブラシアタッチメント１００においては、中芯部分１１０と清掃部分１２０とが掛かり合う構成により、清掃部分１２０が中芯部分１１０から抜けることを規制する抜け止め構造が形成される。
【００４５】
中芯部分１１０は、図７に示される構成を有する。中芯部分１１０は、ワイヤーにより形成される。中芯部分１１０は、金属材料としてのステンレスにより形成されることが好ましい。中芯部分１１０は、ワイヤーが捻り合わせられた形状を有する。中芯部分１１０は、中芯本体部分１１１および複数の中芯引掛部分１１５を有する。中芯部分１１０においては、ワイヤーが捻り合わせられることによりワイヤーの一部分により個々の中芯引掛部分１１５が形成される。中芯部分１１０は、中芯引掛部分１１５において中芯充填空間１１６を形成する。中芯部分１１０は、中芯本体部分１１１において中芯先端部分１１２、中芯中間部分１１３、および中芯基端部分１１４を有する。中芯部分１１０においては、中芯先端部分１１２が中芯部分１１０の長手方向において上方向ＺＡに湾曲したＲ形状を有する。
【００４６】
清掃部分１２０は、図８に示される構成を有する。清掃部分１２０は、軟質樹脂材料により形成される。清掃部分１２０は、軟質樹脂材料としての熱可塑性エラストマーにより形成されることが好ましい。清掃部分１２０は、清掃本体部分１３０および複数の清掃機能部分１４０を有する。清掃部分１２０は、清掃本体部分１３０および複数の清掃機能部分１４０が同一の軟質樹脂材料により一体的に形成された構成を有する。
【００４７】
清掃本体部分１３０は、清掃被覆部分１３１、複数の清掃引掛部分１３２、および清掃接続部分１３３を有する。清掃本体部分１３０は、清掃被覆部分１３１により中芯先端部分１１２および中芯中間部分１１３の全体を被覆する。清掃本体部分１３０は、清掃被覆部分１３１により基礎部分１５０の基礎接続部分１６３の一部分を被覆する。
【００４８】
清掃機能部分１４０は、歯間の形状に対応した先細り形状を有する。清掃機能部分１４０は、清掃本体部分１３０の外面から動径方向に突出して形成される。清掃機能部分１４０の高さは、清掃本体部分１３０に対して下方向ＺＢに位置する清掃機能部分１４０となるにつれて高くなる。
【００４９】
清掃引掛部分１３２は、中芯部分１１０の中芯充填空間１１６を充填する部分として形成される。清掃引掛部分１３２は、中芯引掛部分１１５と掛かり合うことにより、歯間ブラシアタッチメント１００の長手方向における中芯部分１１０および清掃部分１２０の相対的な移動を規制する。
【００５０】
清掃接続部分１３３は、基礎接続部分１６３の形状に対応した凹形状を有する。清掃接続部分１３３は、清掃部分外面１３４および清掃部分溶着面１３５を有する。清掃接続部分１３３は、動径方向における外方向側の部分に清掃部分外面１３４を有する。清掃接続部分１３３は、凹形状を形成する内面として清掃部分溶着面１３５を有する。清掃接続部分１３３は、清掃部分溶着面１３５において基礎接続部分１６３と溶着している。
【００５１】
基礎部分１５０は、図６に示される構成を有する。基礎部分１５０は、硬質樹脂材料により形成される。基礎部分１５０の硬質樹脂材料は、清掃部分１２０の軟質樹脂材料よりも硬い。基礎部分１５０は、硬質樹脂材料としてのポリプロピレン樹脂により形成されることが好ましい。基礎部分１５０は、基礎本体部分１６０および基礎嵌合部分１７０を有する。基礎部分１５０は、基礎本体部分１６０および基礎嵌合部分１７０が同一の硬質樹脂材料により一体的に形成された構成を有する。基礎部分１５０は、アウターケース３０の先端結合部分３４に対する取り付けおよび取り外しが可能な構成を有する。
【００５２】
基礎本体部分１６０は、図８に示される構成を有する。基礎本体部分１６０は、基礎支持部分１６１、複数の基礎引掛部分１６２、および基礎接続部分１６３を有する。基礎本体部分１６０は、基礎接続部分１６３により中芯基端部分１１４の全体を被覆する。
【００５３】
基礎支持部分１６１は、アウターケース３０の先端結合部分３４の頂面に対応した平板形状を有する。基礎支持部分１６１は、底面において基礎嵌合部分１７０の前方接触部分１７１および上部接続部分１７３と接続する。
【００５４】
基礎引掛部分１６２は、中芯部分１１０の中芯充填空間１１６を充填する部分として形成される。基礎引掛部分１６２は、中芯引掛部分１１５と掛かり合うことにより、歯間ブラシアタッチメント１００の長手方向における中芯部分１１０および基礎部分１５０の相対的な移動を規制する。
【００５５】
基礎接続部分１６３は、基礎部分外面１６４、基礎部分溶着面１６５、複数の基礎抜止部分１６６、および基礎角縁部分１６７を有する。基礎接続部分１６３は、長手方向における基礎支持部分１６１側に基礎部分外面１６４を有する。基礎接続部分１６３は、長手方向における清掃接続部分１３３側に基礎部分溶着面１６５を有する。基礎接続部分１６３は、基礎部分溶着面１６５において清掃部分溶着面１３５と溶着している。
【００５６】
基礎抜止部分１６６は、動径方向の内方向から外方向に突出して形成される。基礎抜止部分１６６は、清掃接続部分１３３の一部分に凹形状の部分を形成する。基礎抜止部分１６６は、動径方向において基礎角縁部分１６７よりも内方向側に形成される。
【００５７】
基礎角縁部分１６７は、清掃接続部分１３３の端面の一部分と溶着する。基礎角縁部分１６７は、動径方向において清掃接続部分１３３の清掃部分外面１３４よりも内方向に形成される。
【００５８】
基礎嵌合部分１７０は、図６に示される構成を有する。基礎嵌合部分１７０は、アウターケース３０の先端結合部分３４内に挿入される（図９（ｃ）参照）。基礎嵌合部分１７０は、前方接触部分１７１、後方接触部分１７２、上部接続部分１７３、下部接続部分１７４、嵌合凸部分１７５、規制凸部分１７６、および中間開口部分１７７を有する。
【００５９】
基礎嵌合部分１７０は、前方接触部分１７１において先端結合部分３４の前方の内面に対向する。基礎嵌合部分１７０は、後方接触部分１７２において先端結合部分３４の後方の内面に対向する。基礎嵌合部分１７０においては、上部接続部分１７３により後方接触部分１７２の上部と基礎支持部分１６１とが互いに接続される。基礎嵌合部分１７０においては、下部接続部分１７４により後方接触部分１７２の下部と前方接触部分１７１の下部とが互いに接続される。基礎嵌合部分１７０においては、前方接触部分１７１と後方接触部分１７２との間に中間開口部分１７７が形成される。基礎嵌合部分１７０においては、中間開口部分１７７が形成されていることにより、後方接触部分１７２の前方向ＸＡへの変形が許容される。
【００６０】
基礎嵌合部分１７０は、Ｘ方向において上部接続部分１７３の外面および下部接続部分１７４の外面が後方接触部分１７２の外面よりも後方向ＸＢに形成される。基礎嵌合部分１７０においては、Ｘ方向における上部接続部分１７３の外面と後方接触部分１７２の外面との距離が上部接続部分１７３のＸ方向の寸法に対して十分に小さい。基礎嵌合部分１７０においては、Ｘ方向における下部接続部分１７４の外面と後方接触部分１７２の外面との距離が下部接続部分１７４のＸ方向の寸法に対して十分に小さい。このため、図６、図８、図９、および図１０は、後方接触部分１７２の外面、上部接続部分１７３の外面、および下部接続部分１７４の外面の表示を簡略化し、Ｘ方向においてこれらの各外面を同一の位置に示している。
【００６１】
図９を参照して、歯間ブラシアタッチメント１００の結合構造について説明する。
上部結合部分３１の軸、先端結合部分３４の軸、清掃部分１２０の軸、および基礎支持部分１６１の軸は、図９（ａ）に示される関係を有する。上部結合部分３１の軸、先端結合部分３４の軸、清掃部分１２０の軸、および基礎支持部分１６１の軸は、ＸＹ平面に直交する。上部結合部分３１の軸、先端結合部分３４の軸、清掃部分１２０の軸、および基礎支持部分１６１の軸は、ＸＺ平面において互いに平行する。先端結合部分３４の軸、清掃部分１２０の軸、および基礎支持部分１６１の軸は、上部結合部分３１の軸に対して後方向ＸＢに位置する。清掃部分１２０の軸は、先端結合部分３４の軸および基礎支持部分１６１の軸に対して後方向ＸＢに位置する。先端結合部分３４の軸および基礎支持部分１６１の軸は、同軸の関係を有する。
【００６２】
基礎本体部分１６０は、先端結合部分３４に対して、図９（ａ）および（ｃ）に示される関係を有する。基礎支持部分１６１の底面は、先端結合部分３４の頂面により支持される。基礎支持部分１６１の前方向ＸＡの端は、ＸＺ平面の動径方向において先端結合部分３４の頂面の端よりも内方向側に位置する。基礎支持部分１６１の後方向ＸＢの端は、ＸＺ平面の動径方向において先端結合部分３４の頂面の端と略同じ箇所に位置する。
【００６３】
基礎本体部分１６０は、先端結合部分３４に対して、図９（ｂ）および図９（ｄ）に示される関係を有する。基礎支持部分１６１の右方向ＹＡの端は、ＹＺ平面の動径方向において先端結合部分３４の端面における右方向ＹＡの端よりも内方向側に位置する。基礎支持部分１６１の左方向ＹＢの端は、ＹＺ平面の動径方向において先端結合部分３４の端面における左方向ＹＢの端よりも内方向側に位置する。
【００６４】
基礎嵌合部分１７０は、先端結合部分３４に対して、図９（ｂ）および図９（ｃ）に示される関係を有する。基礎嵌合部分１７０は、全体が先端結合部分３４に挿入される。前方接触部分１７１の外面は、先端結合部分３４の内面に接触する。嵌合凸部分１７５の上部の傾斜面は、後方開口部分３５と隙間を介して対向する。嵌合凸部分１７５の下部の傾斜面は、後方開口部分３５と隙間を介して対向する。嵌合凸部分１７５の外面における背面側の部分は、後方開口部分３５を介して先端結合部分３４の外部に露出する。
【００６５】
図１０を参照して、歯間ブラシアタッチメント１００の結合手順について説明する。
歯間ブラシアタッチメント１００は、図１０（ａ）に示されるように、基礎嵌合部分１７０から先端結合部分３４に挿入される。前方接触部分１７１および後方接触部分１７２は、先端結合部分３４の内面に接触した状態において下方向ＺＢに移動する。嵌合凸部分１７５の下部の傾斜面は、先端結合部分３４に対する歯間ブラシアタッチメント１００の移動量が所定量に達したとき、先端結合部分３４の端面に接触する。
【００６６】
嵌合凸部分１７５は、図１０（ａ）の状態において下方向ＺＢに作用する力が所定の力よりも大きいとき、図１０（ｂ）に示される位置に移動する。すなわち、嵌合凸部分１７５は、下方向ＺＢに作用する力が所定の力よりも大きいとき、先端結合部分３４と嵌合凸部分１７５の下部の傾斜面との接触により先端結合部分３４の内面上に乗り上げる。このとき、後方接触部分１７２は、先端結合部分３４から付与される反力により中間開口部分１７７に向けて変形する。
【００６７】
嵌合凸部分１７５は、図１０（ｂ）の状態において下方向ＺＢにさらに力が加えられたとき、図１０（ｃ）に示される位置に移動する。すなわち、嵌合凸部分１７５は、先端結合部分３４の内面上から後方開口部分３５の空間に移動する。
【００６８】
基礎嵌合部分１７０は、先端結合部分３４に結合された状態（図１０（ｃ）および図１０（ｄ））において、先端結合部分３４から反力を受ける。先端結合部分３４の反力は、前方接触部分１７１、上部接続部分１７３、および下部接続部分１７４に作用する。基礎部分１５０および先端結合部分３４は、前方接触部分１７１、上部接続部分１７３、および下部接続部分１７４に作用する反力により互いに結合される。また、基礎部分１５０および先端結合部分３４は、嵌合凸部分１７５および後方開口部分３５の嵌め合いにより結合力が高められる。
【００６９】
嵌合凸部分１７５は、後方開口部分３５に対して、図１０（ｄ）に示される関係を有する。嵌合凸部分１７５の上部の傾斜面は、対向する後方開口部分３５に対して、前方向ＸＡから後方向ＸＢに向かうにつれて下方向ＺＢから上方向ＺＡに向けて傾斜する。嵌合凸部分１７５の下部の傾斜面は、対向する後方開口部分３５に対して、前方向ＸＡから後方向ＸＢに向かうにつれて下方向ＺＢから上方向ＺＡに向けて傾斜する。嵌合凸部分１７５においては、Ｘ方向に対する下部の傾斜面の傾斜角度が、Ｘ方向に対する上部の傾斜面の傾斜角度よりも大きい。
【００７０】
本実施形態の携帯型口腔衛生装置１は以下の効果を奏する。
（１）歯間ブラシアタッチメント１００は、中芯部分１１０および清掃部分１２０を有する。清掃部分１２０は、軟質樹脂材料により形成される。この構成によれば、電動歯ブラシ１０の使用時において、清掃部分１２０がユーザーの口腔内の組織に接触する。このため、電動歯ブラシ１０の使用時において、中芯部分１１０がユーザーの口腔内の組織に直接的に接触するおそれが低減される。このため、ユーザーに不快感を与えにくい。
【００７１】
（２）歯間ブラシアタッチメント１００は、金属材料により形成された中芯部分１１０を有する。この構成によれば、中芯部分１１０が樹脂材料により形成されていると仮定した構成と比較して、電動歯ブラシ１０の使用時において中芯部分１１０が変形しにくい。このため、歯間を効率よく清掃することができる。また、歯間の清掃効果が高くなる。また、中芯部分１１０が樹脂材料により形成されていると仮定した構成と比較して、歯間ブラシアタッチメント１００の寿命が長くなる。
【００７２】
（３）歯間ブラシアタッチメント１００は、複数の中芯引掛部分１１５および複数の清掃引掛部分１３２を有する。この構成によれば、清掃部分１２０が中芯部分１１０から抜けることが抑制される。
【００７３】
（４）歯間ブラシアタッチメント１００は、清掃接続部分１３３および基礎接続部分１６３において清掃部分１２０および基礎部分１５０が互いに溶着される。この構成によれば、清掃部分１２０および基礎部分１５０が互いに溶着していないと仮定した構成と比較して、清掃部分１２０を中芯部分１１０に対して保持する力が大きくなる。このため、清掃部分１２０が中芯部分１１０から抜けることを抑制する効果が高くなる。
【００７４】
（５）歯間ブラシアタッチメント１００は、基礎接続部分１６３に基礎抜止部分１６６を有する。この構成によれば、歯間ブラシアタッチメント１００の長手方向において清掃部分１２０を基礎部分１５０から引き抜く力が清掃部分１２０に作用するとき、基礎抜止部分１６６および清掃接続部分１３３の掛かり合いにより力が受けられる。このため、基礎抜止部分１６６が形成されていないと仮定した構成と比較して、清掃部分１２０が中芯部分１１０から抜けることを抑制する効果が高くなる。
【００７５】
（６）歯間ブラシアタッチメント１００は、基礎角縁部分１６７が清掃部分外面１３４よりも内方向に形成される。この構成によれば、基礎角縁部分１６７がユーザーの口腔内の組織に接触しにくい。このため、硬質樹脂材料が口腔内の組織に直接的に接触することに起因して、ユーザーに不快感を与えるおそれが小さくなる。
【００７６】
（７）中芯部分１１０は、ワイヤーが捻り合わせられることにより形成された中芯充填空間１１６を有する。清掃部分１２０は、中芯充填空間１１６に充填されることにより形成される清掃引掛部分１３２を有する。この構成によれば、中芯部分１１０および清掃部分１２０が互いに掛かり合う構成を形成するにあたり、中芯部分１１０に対して主として必要となる加工が曲げ加工に限定される。このため、歯間ブラシアタッチメント１００を容易に製造することができる。
【００７７】
（８）中芯部分１１０は、中芯先端部分１１２、中芯中間部分１１３、および中芯基端部分１１４を有する。中芯先端部分１１２は、中芯部分１１０の長手方向において上方向ＺＡに湾曲したＲ形状を有する。清掃本体部分１３０は、中芯先端部分１１２を被覆する。この構成によれば、中芯先端部分１１２が角形状を有すると仮定した構成と比較して、清掃本体部分１３０がユーザーの口腔内の組織に接触したときにユーザーに不快感を与えるおそれが小さくなる。
【００７８】
（９）歯間ブラシアタッチメント１００は、特表２００１−５０６５１４号公報が開示する歯間クリーナーに対して有利な効果を有する。この歯間クリーナーは、支持体、およびコーティングを有する。支持体は、第１のプラスチック材料により形成される。支持体は、細長い棒状の形状を有する。コーティングは、第１のプラスチック材料よりも軟らかい第２のプラスチック材料により形成される。コーティングは、支持体の表面の部分領域を覆う。
【００７９】
歯間クリーナーは、第１のプラスチック材料により形成された支持体を有するため、支持体を歯間に挿入する作業が行われるとき、歯との接触にともなう支持体の変形が生じやすいと考えられる。このため、歯間クリーナーを用いて歯間を清掃するときには、支持体の変形に起因して作業性が低下すると考えられる。特に、奥歯の歯間を清掃するときには、作業性が大きく低下すると考えられる。
【００８０】
一方、歯間ブラシアタッチメント１００は、金属材料により形成された中芯部分１１０を有するため、歯間ブラシアタッチメント１００を歯間に挿入する作業が行われるとき、歯間ブラシアタッチメント１００の変形が生じにくい。このため、歯間クリーナーと比較して、歯間の清掃を容易に行うことが可能になる。
【００８１】
（第２実施形態）
第２実施形態の携帯型口腔衛生装置１は、第１実施形態の携帯型口腔衛生装置１と比較して次の部分において異なる構成を有し、その他の部分において同一の構成を有する。なお、第１実施形態の携帯型口腔衛生装置１と共通する構成については同一の符号を付して、その説明の一部または全部を省略する。
【００８２】
第１実施形態の歯間ブラシアタッチメント１００は、清掃部分１２０の清掃接続部分１３３が基礎部分１５０の基礎接続部分１６３を覆う構成を有する（図８参照）。一方、第２実施形態の歯間ブラシアタッチメント２００は、基礎部分２５０の基礎接続部分２６３が清掃部分２２０の清掃接続部分２３３を覆う構成を有する（図１１参照）。
【００８３】
歯間ブラシアタッチメント２００は、図１１に示される構成を有する。歯間ブラシアタッチメント２００は、中芯部分１１０（図７参照）、第１実施形態の清掃部分１２０に対応する清掃部分２２０、および第１実施形態の基礎部分１５０に対応する基礎部分２５０を有する。
【００８４】
清掃部分２２０は、図１２に示される構成を有する。清掃部分２２０は、軟質樹脂材料により形成される。清掃部分２２０は、軟質樹脂材料としての熱可塑性エラストマーにより形成されることが好ましい。清掃部分２２０は、清掃本体部分２３０および複数の清掃機能部分１４０を有する。清掃部分２２０は、清掃本体部分２３０および複数の清掃機能部分１４０が同一の軟質樹脂材料により一体的に形成された構成を有する。
【００８５】
清掃本体部分２３０は、清掃被覆部分２３１、複数の清掃引掛部分２３２、および清掃接続部分２３３を有する。清掃本体部分２３０は、清掃被覆部分２３１により中芯先端部分１１２および中芯中間部分１１３の全体を被覆する。
【００８６】
清掃引掛部分２３２は、中芯部分１１０の中芯充填空間１１６を充填する部分として形成される。清掃引掛部分２３２は、中芯引掛部分１１５と掛かり合うことにより、歯間ブラシアタッチメント２００の長手方向における中芯部分１１０および清掃部分２２０の相対的な移動を規制する。
【００８７】
清掃接続部分２３３は、清掃部分外面２３４、清掃部分溶着面２３５、および複数の清掃抜止部分２３６を有する。清掃接続部分２３３は、長手方向における清掃被覆部分２３１側に清掃部分外面２３４を有する。清掃接続部分２３３は、長手方向における基礎接続部分２６３側に清掃部分溶着面２３５を有する。清掃接続部分２３３は、清掃部分溶着面２３５において基礎部分溶着面２６５と溶着している。
【００８８】
清掃抜止部分２３６は、動径方向の内方向から外方向に突出して形成される。清掃抜止部分２３６は、基礎接続部分２６３の一部分に凹形状の部分を形成する。清掃抜止部分２３６は、動径方向において基礎角縁部分２６７よりも外方向側に形成される。
【００８９】
基礎部分２５０は、図１２に示される構成を有する。基礎部分２５０は、硬質樹脂材料により形成される。基礎部分２５０の硬質樹脂材料は、清掃部分２２０の軟質樹脂材料よりも硬い。基礎部分２５０は、硬質樹脂材料としてのポリプロピレン樹脂により形成されることが好ましい。基礎部分２５０は、基礎本体部分２６０および基礎嵌合部分１７０を有する。基礎部分２５０は、基礎本体部分２６０および基礎嵌合部分１７０が同一の硬質樹脂材料により一体的に形成された構成を有する。基礎部分２５０は、アウターケース３０の先端結合部分３４に対する取り付けおよび取り外しが可能な構成を有する。
【００９０】
基礎本体部分２６０は、図１２に示される構成を有する。基礎本体部分２６０は、基礎支持部分２６１、複数の基礎引掛部分２６２、および基礎接続部分２６３を有する。基礎本体部分２６０は、基礎接続部分２６３により中芯基端部分１１４の全体を被覆する。
【００９１】
基礎支持部分２６１は、アウターケース３０の先端結合部分３４の頂面に対応した平板形状を有する。基礎支持部分２６１は、底面において基礎嵌合部分１７０の前方接触部分１７１および上部接続部分１７３と接続する。
【００９２】
基礎引掛部分２６２は、中芯部分１１０の中芯充填空間１１６を充填する部分として形成される。基礎引掛部分２６２は、中芯引掛部分１１５と掛かり合うことにより、歯間ブラシアタッチメント２００の長手方向における中芯部分１１０および基礎部分２５０の相対的な移動を規制する。
【００９３】
基礎接続部分２６３は、清掃接続部分２３３の形状に対応した凹形状を有する。基礎接続部分２６３は、基礎部分外面２６４および基礎部分溶着面２６５を有する。基礎接続部分２６３は、動径方向における外方向側の部分に基礎部分外面２６４を有する。基礎接続部分２６３は、凹形状を形成する内面として基礎部分溶着面２６５を有する。基礎接続部分２６３は、基礎部分溶着面２６５において清掃接続部分２３３と溶着している。
【００９４】
基礎角縁部分２６７は、清掃接続部分２３３の清掃部分溶着面２３５と溶着する。基礎角縁部分２６７は、動径方向において清掃接続部分２３３の清掃部分外面２３４よりも内方向に形成される。
【００９５】
本実施形態の携帯型口腔衛生装置１は、第１実施形態の携帯型口腔衛生装置１が奏する（１）〜（９）に準じた効果、すなわちユーザーに不快感を与えにくい旨の効果、およびその他の種々の効果を奏する。
【００９６】
（第３実施形態）
第３実施形態の携帯型口腔衛生装置１は、第１実施形態の携帯型口腔衛生装置１と比較して次の部分において異なる構成を有し、その他の部分において同一の構成を有する。なお、第１実施形態の携帯型口腔衛生装置１と共通する構成については同一の符号を付して、その説明の一部または全部を省略する。
【００９７】
第１実施形態の歯間ブラシアタッチメント１００は、清掃部分１２０の清掃接続部分１３３および基礎部分１５０の基礎接続部分１６３が互いに溶着された構成を有する（図８参照）。一方、第３実施形態の歯間ブラシアタッチメント３００は、清掃部分３２０および基礎部分３５０が互いに離間した構成を有する（図１３参照）。
【００９８】
歯間ブラシアタッチメント３００は、図１３に示される構成を有する。歯間ブラシアタッチメント３００は、中芯部分１１０（図７参照）、第１実施形態の清掃部分１２０に対応する清掃部分３２０、および第１実施形態の基礎部分１５０に対応する基礎部分３５０を有する。
【００９９】
清掃部分３２０は、図１３に示される構成を有する。清掃部分３２０は、軟質樹脂材料により形成される。清掃部分３２０は、軟質樹脂材料としての熱可塑性エラストマーにより形成されることが好ましい。清掃部分３２０は、清掃本体部分３３０および複数の清掃機能部分１４０を有する。清掃部分３２０は、清掃本体部分３３０および複数の清掃機能部分１４０が同一の軟質樹脂材料により一体的に形成された構成を有する。
【０１００】
清掃本体部分３３０は、清掃被覆部分３３１、複数の清掃引掛部分３３２、および清掃部分端面３３７を有する。清掃本体部分３３０は、清掃被覆部分３３１により中芯先端部分１１２および中芯中間部分１１３の全体を被覆する。
【０１０１】
清掃引掛部分３３２は、中芯部分１１０の中芯充填空間１１６を充填する部分として形成される。清掃引掛部分３３２は、中芯引掛部分１１５と掛かり合うことにより、歯間ブラシアタッチメント３００の長手方向における中芯部分１１０および清掃部分３２０の相対的な移動を規制する。
【０１０２】
基礎部分３５０は、図１４に示される構成を有する。基礎部分３５０は、硬質樹脂材料により形成される。基礎部分３５０の硬質樹脂材料は、清掃部分３２０の軟質樹脂材料よりも硬い。基礎部分３５０は、硬質樹脂材料としてのポリプロピレン樹脂により形成されることが好ましい。基礎部分３５０は、基礎本体部分３６０および基礎嵌合部分１７０を有する。基礎部分３５０は、基礎本体部分３６０および基礎嵌合部分１７０が同一の硬質樹脂材料により一体的に形成された構成を有する。基礎部分３５０は、アウターケース３０の先端結合部分３４に対する取り付けおよび取り外しが可能な構成を有する。
【０１０３】
基礎本体部分３６０は、図１３に示される構成を有する。基礎本体部分３６０は、基礎支持部分３６１、複数の基礎引掛部分３６２、および基礎被覆部分３６８を有する。基礎本体部分３６０は、基礎被覆部分３６８により中芯基端部分１１４の全体を被覆する。
【０１０４】
基礎支持部分３６１は、アウターケース３０の先端結合部分３４の頂面に対応した平板形状を有する。基礎支持部分３６１は、底面において基礎嵌合部分１７０の前方接触部分１７１および上部接続部分１７３と接続する。
【０１０５】
基礎引掛部分３６２は、中芯部分１１０の中芯充填空間１１６を充填する部分として形成される。基礎引掛部分３６２は、中芯引掛部分１１５と掛かり合うことにより、歯間ブラシアタッチメント３００の長手方向における中芯部分１１０および基礎部分３５０の相対的な移動を規制する。
【０１０６】
基礎被覆部分３６８は、基礎支持部分３６１から清掃部分３２０に向けて伸びる形状を有する。基礎被覆部分３６８は、基礎部分端面３６９を有する。基礎被覆部分３６８は、基礎部分端面３６９において隙間を介して清掃本体部分３３０の清掃部分端面３３７と対向する。
【０１０７】
本実施形態の携帯型口腔衛生装置１は、第１実施形態の携帯型口腔衛生装置１が奏する（１）〜（９）に準じた効果に加えて以下の効果を奏する。
（１０）歯間ブラシアタッチメント３００は、基礎部分端面３６９と清掃部分端面３３７との間に隙間を有する。この構成によれば、基礎部分端面３６９が清掃部分３２０から離間していることにより、基礎部分端面３６９がユーザーの口腔内の組織に接触しにくい。このため、硬質樹脂材料により形成される基礎部分３５０が口腔内の組織に接触することに起因して、ユーザーに不快感を与えるおそれが小さくなる。
【０１０８】
（第４実施形態）
第１実施形態の携帯型口腔衛生装置１は、電動歯ブラシ１０および歯ブラシキャップ９０を有する。一方、第４実施形態の携帯型口腔衛生装置１は、電動歯ブラシ１０および歯ブラシキャップ９０に代えて歯間ブラシ４００を有する。すなわち、第４実施形態の携帯型口腔衛生装置１は、歯間ブラシ４００により装置の全体が構成される。
【０１０９】
歯間ブラシ４００は、図１５に示される構成を有する。歯間ブラシ４００は、平板形状を有する。歯間ブラシ４００は、中芯部分４１０および清掃部分４４０を有する。歯間ブラシ４００は、金属製の中芯部分４１０と樹脂製の清掃部分４４０とが互いに掛かり合う構成を有する。歯間ブラシ４００においては、中芯部分４１０と清掃部分４４０とが掛かり合う構成により、清掃部分４４０が中芯部分４１０から抜けることを規制する抜け止め構造が形成される。
【０１１０】
中芯部分４１０は、図１６に示される構成を有する。中芯部分４１０は、金属材料により形成される。中芯部分４１０は、金属材料としてのステンレスにより形成されることが好ましい。中芯部分４１０は、中芯機能部分４２０および中芯把持部分４３０を有する。中芯部分４１０は、中芯機能部分４２０および中芯把持部分４３０が同一の金属材料により一体的に形成された構成を有する。
【０１１１】
中芯機能部分４２０は、口腔内への挿入に適した先細りの柱形状を有する。中芯機能部分４２０は、複数の中芯引掛部分４２１および複数の中芯充填空間４２２を有する。中芯機能部分４２０は、中芯充填空間４２２として貫通孔を有する。
【０１１２】
中芯把持部分４３０は、中芯把持部分４３０は、ユーザーが歯間ブラシ４００の使用時に把持することに適した平板形状を有する。中芯把持部分４３０は、複数の中芯引掛部分４３１および複数の中芯充填空間４３２を有する。中芯把持部分４３０は、中芯充填空間４３２として貫通孔を有する。
【０１１３】
清掃部分４４０は、図１６に示される構成を有する。清掃部分４４０は、軟質樹脂材料により形成される。清掃部分４４０は、軟質樹脂材料としての熱可塑性エラストマーにより形成されることが好ましい。清掃部分４４０は、中芯部分４１０の表面の全体を覆う。清掃部分４４０は、清掃本体部分４５０および複数の清掃機能部分４６０を有する。清掃部分４４０は、清掃本体部分４５０および複数の清掃機能部分４６０が同一の軟質樹脂材料により一体的に形成された構成を有する。
【０１１４】
清掃本体部分４５０は、清掃被覆部分４５１および清掃引掛部分４５４を有する。清掃本体部分４５０は、清掃被覆部分４５１として機能側被覆部分４５２および把持側被覆部分４５３を有する。清掃本体部分４５０は、機能側被覆部分４５２により中芯機能部分４２０の全体を覆う。清掃本体部分４５０は、把持側被覆部分４５３により中芯把持部分４３０の全体を覆う。清掃本体部分４５０は、清掃引掛部分４５４として複数の機能側引掛部分４５５および複数の把持側引掛部分４５６を有する。
【０１１５】
機能側引掛部分４５５は、中芯機能部分４２０の中芯充填空間４２２を充填する部分として形成される。機能側引掛部分４５５は、中芯引掛部分４２１と掛かり合うことにより、歯間ブラシ４００の長手方向における中芯部分４１０および清掃部分４４０の相対的な移動を規制する。
【０１１６】
把持側引掛部分４５６は、中芯把持部分４３０の中芯充填空間４３２を充填する部分として形成される。把持側引掛部分４５６は、中芯引掛部分４３１と掛かり合うことにより、歯間ブラシ４００の長手方向における中芯部分４１０および清掃部分４４０の相対的な移動を規制する。
【０１１７】
清掃機能部分４６０は、歯間の形状に対応した先細り形状を有する。清掃機能部分４６０は、清掃本体部分４５０の外面から動径方向の外方向に突出して形成される。清掃機能部分４６０の高さは、清掃本体部分４５０に対して下方向ＺＢに位置する清掃機能部分４６０となるにつれて高くなる。
【０１１８】
本実施形態の携帯型口腔衛生装置１は、第１実施形態の携帯型口腔衛生装置１が奏する（１）〜（３）および（９）に準じた効果、すなわちユーザーに不快感を与えにくい旨の効果、およびその他の種々の効果を奏する。
【０１１９】
（第５実施形態）
第５実施形態の携帯型口腔衛生装置１は、第１実施形態の携帯型口腔衛生装置１と比較して次の部分において異なる構成を有し、その他の部分において同一の構成を有する。なお、第１実施形態の携帯型口腔衛生装置１と共通する構成については同一の符号を付して、その説明の一部または全部を省略する。
【０１２０】
第１実施形態の携帯型口腔衛生装置１は、図１に示される電動歯ブラシ１０および歯ブラシキャップ９０を有する。一方、第５実施形態の携帯型口腔衛生装置１は、図１７〜図１９に示される電動歯ブラシ５００を有する。
【０１２１】
電動歯ブラシ５００は、図１７に示される構成を有する。電動歯ブラシ５００は、歯ブラシ本体５１０、アタッチメント取付部分５２０および歯間ブラシアタッチメント６００を有する。電動歯ブラシ５００は、互いに独立した部品として形成された歯ブラシ本体５１０、アタッチメント取付部分５２０、および歯間ブラシアタッチメント６００が互いに結合された構成を有する。電動歯ブラシ５００は、電源がオン状態のとき、歯ブラシ本体５１０内の電気モーターを駆動させることにより、歯間ブラシアタッチメント６００を振動させる。
【０１２２】
歯間ブラシアタッチメント６００は、図１８に示される構成を有する。歯間ブラシアタッチメント６００は、柱形状に類似する形状を有する。歯間ブラシアタッチメント６００は、中芯部分１１０（図１９参照）、清掃部分１２０、および基礎部分６５０を有する。歯間ブラシアタッチメント６００は、金属製の中芯部分１１０と、樹脂製の清掃部分１２０とが互いに掛かり合う構成を有する。歯間ブラシアタッチメント６００は、金属製の中芯部分１１０と、樹脂製の基礎部分６５０とが互いに掛かり合う構成を有する。歯間ブラシアタッチメント６００においては、中芯部分１１０と清掃部分１２０とが掛かり合う構成により、清掃部分１２０が中芯部分１１０から抜けることを規制する抜け止め構造が形成される。
【０１２３】
基礎部分６５０は、図１９に示される構成を有する。基礎部分６５０は、硬質樹脂材料により形成される。基礎部分６５０の硬質樹脂材料は、清掃部分１２０の軟質樹脂材料よりも硬い。基礎部分６５０は、硬質樹脂材料としてのポリプロピレン樹脂により形成されることが好ましい。基礎部分６５０は、基礎本体部分６６０および基礎嵌合部分６７０を有する。基礎部分６５０は、基礎本体部分６６０および基礎嵌合部分６７０が同一の硬質樹脂材料により一体的に形成された構成を有する。基礎部分６５０は、アタッチメント取付部分５２０に対する取り付けおよび取り外しが可能な構成を有する。
【０１２４】
基礎本体部分６６０は、基礎本体部分６６０は、基礎支持部分６６１、複数の基礎引掛部分６６２、および基礎接続部分６６３を有する。基礎本体部分６６０は、基礎接続部分６６３により中芯基端部分１１４の全体を被覆する。基礎本体部分６６０は、基礎支持部分６６１においてアタッチメント取付部分５２０の形状に対応した形状を有する。
【０１２５】
基礎引掛部分６６２は、中芯部分１１０の中芯充填空間１１６を充填する部分として形成される。基礎引掛部分６６２は、中芯引掛部分１１５と掛かり合うことにより、歯間ブラシアタッチメント６００の長手方向における中芯部分１１０および基礎部分６５０の相対的な移動を規制する。
【０１２６】
基礎接続部分６６３は、基礎部分外面６６４、基礎部分溶着面６６５、複数の基礎抜止部分６６６、および基礎角縁部分６６７を有する。基礎接続部分６６３は、長手方向における基礎支持部分６６１側に基礎部分外面６６４を有する。基礎接続部分６６３は、長手方向における清掃接続部分１３３側に基礎部分溶着面６６５を有する。基礎接続部分６６３は、基礎部分溶着面６６５において清掃部分溶着面１３５と溶着している。
【０１２７】
基礎抜止部分６６６は、動径方向の内方向から外方向に突出して形成される。基礎抜止部分６６６は、清掃接続部分１３３の一部分に凹形状の部分を形成する。基礎抜止部分６６６は、動径方向において基礎角縁部分６６７よりも内方向側に形成される。
【０１２８】
基礎角縁部分６６７は、清掃接続部分１３３の端面の一部分と溶着する。基礎角縁部分６６７は、動径方向において清掃接続部分１３３の清掃部分外面１３４よりも内方向に形成される。
【０１２９】
基礎嵌合部分６７０は、図１８に示される構成を有する。基礎嵌合部分６７０は、アタッチメント取付部分５２０の取付嵌合部分５２１に嵌め込まれる（図１７（ｃ）参照）。基礎嵌合部分６７０は、取付嵌合部分５２１の形状に対応した基礎球状部分６７１を有する。
【０１３０】
本実施形態の携帯型口腔衛生装置１は、第１実施形態の携帯型口腔衛生装置１が奏する（１）〜（９）に準じた効果、すなわちユーザーに不快感を与えにくい旨の効果、およびその他の種々の効果を奏する。
【０１３１】
（第６実施形態）
第６実施形態の携帯型口腔衛生装置１は、第１実施形態の携帯型口腔衛生装置１と比較して次の部分において異なる構成を有し、その他の部分において同一の構成を有する。なお、第１実施形態の携帯型口腔衛生装置１と共通する構成については同一の符号を付して、その説明の一部または全部を省略する。
【０１３２】
第１実施形態の携帯型口腔衛生装置１の電動歯ブラシ１０（図２参照）は、歯間ブラシアタッチメント１００に対して専用のキャップを有していない。一方、第６実施形態の携帯型口腔衛生装置１の電動歯ブラシ１０（図２０参照）は、歯間ブラシアタッチメント７００に対して専用の歯間ブラシキャップ８００を有する。
【０１３３】
電動歯ブラシ１０は、図２に示される構成を有する。電動歯ブラシ１０は、柱形状を有する。電動歯ブラシ１０は、歯ブラシ本体２０、歯ブラシアタッチメント８０、歯間ブラシアタッチメント７００、および歯間ブラシキャップ８００を有する。電動歯ブラシ１０は、互いに独立した部品として形成された歯ブラシ本体２０、歯ブラシアタッチメント８０、歯間ブラシアタッチメント７００、および歯間ブラシキャップ８００が互いに結合された構成を有する。電動歯ブラシ１０は、歯ブラシアタッチメント８０による歯の清掃時において歯ブラシアタッチメント８０を振動させる。電動歯ブラシ１０は、歯間ブラシアタッチメント７００による歯の清掃時において歯間ブラシアタッチメント７００を振動させる。
【０１３４】
歯間ブラシアタッチメント７００は、図２１に示される構成を有する。歯間ブラシアタッチメント７００は、第２実施形態の歯間ブラシアタッチメント２００（図１１および図１２参照）に類似した構成を有する。歯間ブラシアタッチメント７００は、第２実施形態の歯間ブラシアタッチメント２００の清掃部分１２０の軸が基礎部分１５０の軸に対して傾斜した構成を有する。歯間ブラシアタッチメント７００は、中芯部分７１０、清掃部分７２０、および基礎部分７５０を有する。歯間ブラシアタッチメント７００は、金属製の中芯部分７１０と、樹脂製の清掃部分７２０とが互いに掛かり合う構成を有する。歯間ブラシアタッチメント７００は、金属製の中芯部分７１０と、樹脂製の基礎部分７５０とが互いに掛かり合う構成を有する。歯間ブラシアタッチメント７００においては、中芯部分７１０と清掃部分７２０とが互いに掛かり合う構成により、清掃部分７２０が中芯部分７１０から抜けることを規制する抜け止め構造が形成される。
【０１３５】
歯間ブラシキャップ８００は、図２１に示される構成を有する。歯間ブラシキャップ８００は、樹脂材料により形成される。歯間ブラシキャップ８００は、歯ブラシアタッチメント８０の内部空間の形状に対応したテーパー形状を有する。歯間ブラシキャップ８００は、周壁部分８１０、頂壁部分８２０、および収容空間８３０を有する。歯間ブラシキャップ８００は、周壁部分８１０および頂壁部分８２０が同一の樹脂材料により一体的に形成された構成を有する。歯間ブラシキャップ８００においては、周壁部分８１０により囲まれて収容空間８３０が形成される。歯間ブラシキャップ８００は、歯間ブラシアタッチメント７００の基礎部分７５０に対する取り付けおよび取り外しが可能な構成を有する。なお、歯間ブラシキャップ８００は、歯間清掃用具キャップの一例を示す。
【０１３６】
本実施形態の携帯型口腔衛生装置１は、第１実施形態の携帯型口腔衛生装置１が奏する（１）〜（９）の効果に加えて、以下の効果を奏する。
（１１）携帯型口腔衛生装置１は、歯間ブラシキャップ８００を有する。この構成によれば、ユーザーは歯ブラシキャップ９０および歯ブラシアタッチメント８０を取り外した状態で電動歯ブラシ１０を携帯するとき、歯間ブラシアタッチメント７００を歯間ブラシキャップ８００により保護することができる。このため、歯ブラシキャップ９０および歯ブラシアタッチメント８０を取り外したコンパクトな状態、かつ歯間ブラシアタッチメント７００が汚れにくい状態において、携帯型の歯間清掃用具として利用することが可能になる。
【０１３７】
（その他の実施形態）
本発明は、第１〜第６実施形態以外の実施形態を含む。以下、本発明のその他の実施形態としての第１〜第６実施形態の変形例を示す。なお、以下の各変形例は、互いに組み合わせることもできる。
【０１３８】
・第４実施形態の歯間ブラシ４００は、清掃被覆部分４５１として機能側被覆部分４５２および把持側被覆部分４５３を有する。一方、変形例の歯間ブラシ４００は、機能側被覆部分４５２および把持側被覆部分４５３のうちの把持側被覆部分４５３が省略された構成を有する。
【０１３９】
・第４実施形態の歯間ブラシ４００は、清掃引掛部分４５４として機能側引掛部分４５５および把持側引掛部分４５６を有する。一方、変形例の歯間ブラシ４００は、機能側引掛部分４５５および把持側引掛部分４５６の少なくとも一方が省略された構成を有する。
【０１４０】
・第４実施形態の歯間ブラシ４００は、機能側引掛部分４５５および把持側引掛部分４５６が同一の軟質樹脂材料により一体的に形成された構成を有する。一方、変形例の歯間ブラシ４００は、把持側引掛部分４５６が機能側引掛部分４５５よりも硬質の樹脂材料により形成された構成を有する。
【０１４１】
・第６実施形態の歯間ブラシキャップ８００は、歯間ブラシアタッチメント７００の基礎部分７５０に対する取り付けおよび取り外しが可能な構成を有する。一方、変形例の歯間ブラシキャップ８００は、アウターケース３０の先端結合部分３４に対する取り付けおよび取り外しが可能な構成を有する。
【０１４２】
・第１実施形態の携帯型口腔衛生装置１は、中芯引掛部分１１５および清掃引掛部分１３２が互いに掛かり合う構成を有する。一方、変形例の携帯型口腔衛生装置１は、清掃部分１２０に対応する中芯引掛部分１１５、および清掃引掛部分１３２が省略された構成を有する。なお、第２〜第６実施形態の携帯型口腔衛生装置１に対しても同様の変更を加えることができる。
【０１４３】
・第１実施形態の携帯型口腔衛生装置１は、中芯引掛部分１１５および基礎引掛部分１６２が互いに掛かり合う構成を有する。一方、変形例の携帯型口腔衛生装置１は、基礎部分１５０に対応する中芯引掛部分１１５、および清掃引掛部分１３２が省略された構成を有する。なお、第２〜第６実施形態の携帯型口腔衛生装置１に対しても同様の変更を加えることができる。
【０１４４】
・第１実施形態の携帯型口腔衛生装置１は、中芯部分１１０に対する清掃部分１２０の抜けを抑制するための構成として、中芯引掛部分１１５および清掃引掛部分１３２が互いに掛かり合う構成を有する。一方、変形例の携帯型口腔衛生装置１は、清掃部分１２０の復元力により、中芯部分１１０に対する清掃部分１２０の抜けを抑制する構成を有する。なお、第２〜第６実施形態の携帯型口腔衛生装置１に対しても同様の変更を加えることができる。
【０１４５】
・第１実施形態の携帯型口腔衛生装置１は、清掃部分１２０および基礎部分１５０が清掃接続部分１３３および基礎接続部分１６３において互いに溶着する構成を有する。一方、変形例の携帯型口腔衛生装置１は、清掃部分１２０および基礎部分１５０が清掃接続部分１３３および基礎接続部分１６３において互いに溶着しない構成を有する。また、別の変形例の携帯型口腔衛生装置１は、清掃部分１２０および基礎部分１５０が清掃接続部分１３３および基礎接続部分１６３において接着される構成を有する。なお、第２または第６実施形態の携帯型口腔衛生装置１に対しても同様の変更を加えることができる。
【０１４６】
・第１実施形態の電動歯ブラシ１０は、把持ケース５０が電気モーター６１のスイッチとして機能する構成を有する。一方、変形例の電動歯ブラシ１０は、この構成に代えて、またはこの構成に加えて、電気モーター６１の電源をオンおよびオフするための押しボタンスイッチを有する。なお、第２実施形態、第３実施形態、および第６実施形態の携帯型口腔衛生装置１に対しても同様の変更を加えることができる。
【０１４７】
・第１実施形態の電動歯ブラシ１０は、アウターケース３０および歯間ブラシアタッチメント１００を互いに結合および分離する構成を有する。一方、変形例の電動歯ブラシ１０は、歯間ブラシアタッチメント１００がアウターケース３０に固定された構造を有する。歯間ブラシアタッチメント１００の固定方法としては、例えば圧入または接着を用いることができる。この変形例の電動歯ブラシ１０によれば、アウターケース３０から歯間ブラシアタッチメント１００への振動の伝達効率が高くなる。なお、第２実施形態、第３実施形態、および第６実施形態の携帯型口腔衛生装置１に対しても同様の変更を加えることができる。
【０１４８】
・第１実施形態の電動歯ブラシ１０は、第１機能部品として歯ブラシアタッチメント８０を有し、第２機能部品として歯間ブラシアタッチメント１００を有する。一方、変形例の電動歯ブラシ１０は、第１機能部品として、歯間ブラシアタッチメント、歯茎マッサージアタッチメント、ポイント磨きブラシ、爪磨き用アタッチメント、およびステインケアアタッチメントのいずれか１個の機能部品を有する。なお、第２実施形態、第３実施形態、および第６実施形態の携帯型口腔衛生装置１に対しても同様の変更を加えることができる。
【０１４９】
・第１実施形態の電動歯ブラシ１０は、本体ケース２１とは別の部品として構成された装飾リング２４を有する。一方、変形例の電動歯ブラシ１０は、装飾リング２４に代えて、本体ケース２１の一部分として形成された装飾リング２４に相当する部分を有する。また、別の変形例の電動歯ブラシ１０は、装飾リング２４に代えて、把持ケース５０の一部分として形成された装飾リング２４に相当する部分を有する。なお、第２実施形態、第３実施形態、および第６実施形態の携帯型口腔衛生装置１に対しても同様の変更を加えることができる。
【０１５０】
・第１実施形態の装飾リング２４は、携帯型口腔衛生装置１の設置面に対して装飾面２６が２点以上で接触する構造を有する。一方、変形例の装飾リング２４は、携帯型口腔衛生装置１の設置面に接触する平面を有する。平面は、携帯型口腔衛生装置１が設置面に対して回転することを規制する。なお、第２実施形態、第３実施形態、および第６実施形態の携帯型口腔衛生装置１に対しても同様の変更を加えることができる。
【０１５１】
・第１実施形態の電動歯ブラシ１０は、電源として乾電池２を有する。一方、変形例の電動歯ブラシ１０は、電源として２次電池を有する。なお、第２〜第４実施形態、および第６実施形態の携帯型口腔衛生装置１に対しても同様の変更を加えることができる。
【０１５２】
・第１実施形態の携帯型口腔衛生装置１は、歯ブラシキャップ９０を有する。一方、変形例の携帯型口腔衛生装置１は、歯ブラシキャップ９０が省略された構成を有する。すなわち、変形例の携帯型口腔衛生装置１は、電動歯ブラシ１０単体により装置の全体が構成される。なお、第２実施形態、第３実施形態、および第６実施形態の携帯型口腔衛生装置１に対しても同様の変更を加えることができる。
【０１５３】
・第１実施形態の携帯型口腔衛生装置１は、歯ブラシアタッチメント８０および歯ブラシキャップ９０を有する。一方、変形例の携帯型口腔衛生装置１は、歯ブラシアタッチメント８０および歯ブラシキャップ９０が省略された構成を有する。すなわち、変形例の携帯型口腔衛生装置１は、第１機能部品および第２機能部品のうちの第２機能部品のみを有する構成の電動歯ブラシ１０により装置の全体が構成される。なお、第２実施形態、第３実施形態、および第６実施形態の携帯型口腔衛生装置１に対しても同様の変更を加えることができる。
【符号の説明】
【０１５４】
１…携帯型口腔衛生装置
２０、５１０…歯ブラシ本体
８０…歯ブラシアタッチメント
９０…歯ブラシキャップ
１１０、４１０、７１０…中芯部分
１１２…中芯先端部分
１１３…中芯中間部分
１１４…中芯基端部分
１１５、４２１、４３１…中芯引掛部分
１１６、４２２、４３２…中芯充填空間
１２０、２２０、３２０、４４０、７２０…清掃部分
１３０、２３０、３３０、４５０…清掃本体部分
１３２、２３２、３３２、４５４…清掃引掛部分
１４０、４６０…清掃機能部分
１５０、２５０、３５０、６５０、７５０…基礎部分
１６２、２６２、３６２、６６２…基礎引掛部分
８００…歯間ブラシキャップ（歯間清掃用具キャップ）
【図１】
2013248015.tif 000003
【図２】
2013248015.tif 000004
【図３】
2013248015.tif 000005
【図４】
2013248015.tif 000006
【図５】
2013248015.tif 000007
【図６】
2013248015.tif 000008
【図７】
2013248015.tif 000009
【図８】
2013248015.tif 000010
【図９】
2013248015.tif 000011
【図１０】
2013248015.tif 000012
【図１１】
2013248015.tif 000013
【図１２】
2013248015.tif 000014
【図１３】
2013248015.tif 000015
【図１４】
2013248015.tif 000016
【図１５】
2013248015.tif 000017
【図１６】
2013248015.tif 000018
【図１７】
2013248015.tif 000019
【図１８】
2013248015.tif 000020
【図１９】
2013248015.tif 000021
【図２０】
2013248015.tif 000022
【図２１】
2013248015.tif 000023
【図２２】
2013248015.tif 000024